(57)【特許請求の範囲】
【請求項１】
長方形状で、一定の長手方向及び幅を有する手ぬぐい生地に、長手方向両端から一定間隔に、長手方向へ左右対称に各々二本の直線模様が描かれ、かつ直線模様間には適便に、左右対称に花模様が描かれ、また該手ぬぐい生地幅方向中央部より上側には仏像模様が、下側には円形及び山形などの模様が描かれ、構成される手ぬぐいを、次の順に折り畳む。
即ちまず、手ぬぐい生地幅方向中央部において、模様側を表として、手ぬぐい生地の上側端と下側端が上側端で端が重なるように手ぬぐい生地裏側へ真二つに折り畳む。
次に、折り畳んだ後重ねたまま、手ぬぐい生地長手方向両端を各々長手方向端側近くに描かれている直線模様に沿って、長手方向表側へ折り畳む。
次に、このように折り畳んだ後更に手ぬぐい生地長手方向に描かれているもう一本の直線模様に沿って、長手方向表側へ、手ぬぐい生地長手方向両端を各々折り畳む。
次にしかる後、折り畳まれた手ぬぐい生地の幅方向中央部線を基線として、折り畳まれた手ぬぐいの上方側を、左右に開いて手ぬぐい生地の幅方向中央部線上に台形状と横長長方形とが結合した形状部が形成されるように、上側端を手前方向に折り畳む。
次に、台形状と横長長方形とが結合した形状部に折り畳まれた、該台形状と横長長方形との結合した形状部の下側二角を各々裏側方向へ折り畳む。これによって、上下に対称の台形状部が形成される。
次に、上下に対称の台形状部の下側台形状部を、台形状部底辺に沿って、裏側へ折り畳む。こうすることによって、この台形状部が重なり、御堂の屋根の部分が形成される。
次に、しかる後に残った下方側を、三つに折り畳む。これによって、手ぬぐいを御堂型に折り畳むことができる。
このように手ぬぐいを折り畳み、御堂型を形成することを特徴とする手ぬぐいを御堂型に折り畳む方法。
【請求項２】
「請求項１」に記載した長方形状で、一定の長手方向及び幅を有する手ぬぐい生地に、長手方向両端から一定間隔に、長手方向へ左右対称に各々二本の直線模様が描かれ、かつ直線模様間には適便に、左右対称に花模様が描かれ、また該手ぬぐい生地幅方向中央部より上側には仏像模様が、下側には円形及び山形などの模様が描かれ、構成される手ぬぐい生地に、型紙を用いて、以下の順に折り畳むことによって御堂型を形成する。
即ち、まず手ぬぐい生地幅方向中央部において、模様側を表として、手ぬぐい生地の上側端と下側端が、上側端で端が重なるように、手ぬぐい生地裏側へ真二つに折り畳み、しかる後重ねたまま、手ぬぐい生地長手方向両端を、両端に近い直線模様を基線にして、表側へ折り畳む。
次にこのように折り畳んだ後、手ぬぐい生地上端側に台形状型紙の上辺が、手ぬぐい生地上端辺に沿うように台形状型紙を配置し、しかる後手ぬぐい生地上端側二角を、台形状型紙の斜面に沿って表側へ折り畳む。
次にそうした後、台形状型紙を台形上紙底辺を基線として、手前方向へ折り畳む。
次に台形状型紙を手前方向へ折り畳んだ後、台形状型紙の台形状型紙上辺と同一の長さの正方形状型紙を、台形状型紙の上辺に沿わせ、かつ手ぬぐい生地に対称平行に描かれている今一つの直線模様に沿うように配置する。
次に、しかる後手ぬぐい生地の長手方向に一度折り畳まれている両端を、正方形状型紙の側壁に沿って、手ぬぐい生地表側長手方向中央部方向へ、各々折り畳むことにより、台形状型紙は、更に手前に反転し、正方形状型紙上に、御堂の屋根の部分が形成される。
次に、このように折り畳んだ後、台形状型紙の裏側に当たる手ぬぐい生地を整え、手ぬぐい生地の残った下方側を三つに折り畳む。これによって、手ぬぐいを御堂型に折り畳むことができる。
このように、台形状型紙及び正方形状型紙を用いて、手ぬぐいを折り畳み、御堂型を形成することを特徴とする手ぬぐいを御堂型に折り畳む方法。
【発明の詳細な説明】
【０００１】
【発明の属する技術分野】
この発明は、手ぬぐいの折り畳み方法に関するもので、特には手ぬぐいを御堂型に折り畳む方法に関するものである。
【０００２】
【従前の技術】
従前より日本には、折り紙というもののあるのは広く知られている。しかし、折り紙は単純にその紙自体で各種の形状を折り畳むものであり、他の型紙を使用したり、折り紙に折り線や基線を設けたりしたものを使用するものではない。単純に紙を折り畳んで、ある特定の形状を作り出す楽しみを味わうために行われているものである。そのような折り紙形状には、未だ御堂型形状も見当たらないものである。
【０００３】
【発明が解決しようとする課題】
折り紙によるにしても、また、他の物品を使用して折り畳むことにより、特定の形状に折り畳むのは、大人にとっても非常に困難である。特に御堂型に手ぬぐいを折り畳むのは従前には見当たらない方法であり、これを折り畳むには、その都度方法や仕方が変わってしまったりするもので、一定の方法で出来ない困難性があったものである。この発明はこのような困難性を排して、簡単に手ぬぐいを御堂型に折り畳むことができる方法及び新たな折り畳み方法を提供しようとするものである。
【０００４】
【問題を解決するための手段】
手ぬぐいを使用して、簡単に御堂型に折り畳み、かつ従前になかった新たな折り畳み方法を提供し、前記の問題を解決するためには、次のような折り畳み方法で行われるのがよい。
即ち、長方形状で、一定の長手方向及び幅を有する手ぬぐい生地に、長手方向両端から一定間隔に、長手方向へ左右対称に各々二本の直線模様が描かれ、かつ直線模様間には適便に、左右対称に花模様が描かれ、また該手ぬぐい生地幅方向中央部より上側には仏像模様が、下側には円形及び山形などの模様が描かれ、構成される手ぬぐいを次の順に折り畳む。
即ち、まず手ぬぐい生地幅方向中央部において、模様側を表として、手ぬぐい生地の上側端と下側端が上側端で端が重なるように手ぬぐい生地裏側へ真二つに折り畳む。
次に、折り畳んだ後重ねたまま、手ぬぐい生地長手方向両端を各々長手方向端側近くに描かれている直線模様に沿って、長手方向表側へ折り畳む。
次に、このように折り畳んだ後更に手ぬぐい生地長手方向に描かれているもう一本の直線模様に沿って、長手方向表側へ、手ぬぐい生地長手方向両端を各々折り畳む。
次にしかる後、折り畳まれた手ぬぐい生地の幅方向中央部線を基線として、折り畳まれた手ぬぐいの上方側を、左右に開いて手ぬぐい生地の幅方向中央部線上に台形状と横長長方形とが結合した形状部が形成されるように、上側端を手前方向に折り畳む。
次に台形状と横長長方形とが結合した形状部に折り畳まれた該台形状と横長長方形との結合した形状部の下側二角を各々裏側方向へ折り畳む。これによって、上下に対称の台形状部が形成される。
次に、上下に対称の台形状部の下側台形状部を、台形状部底辺に沿って、裏側へ折り畳む。こうすることによって、御堂の屋根の部分が形成される。
次に、しかる後に残った下方側を、三つに折り畳む。これによって、手ぬぐいを御堂型に折り畳むことができる。
このように手ぬぐいを折り畳み、御堂型を形成することを特徴とする手ぬぐいを御堂型に折り畳む方法であり、今一つの方法は、前に記載した長方形状で、一定の長手方向及び幅を有する手ぬぐい生地に、長手方向両端から一定間隔に、長手方向へ左右対称に各々二本の直線模様が描かれ、かつ直線模様間には適便に、左右対称に花模様が描かれ、また該手ぬぐい生地幅方向中央部より上側には仏像模様が、下側には円形及び山形などの模様が描かれ、構成される手ぬぐい生地に、型紙を用いて、以下の順に折り畳むことによって御堂側を形成する。
即ち、まず手ぬぐい生地幅方向中央部において、模様側を表として、手ぬぐい生地の上側端と下側端が、上側端で端が重なるように、手ぬぐい生地裏側へ真二つに折り畳み、しかる後重ねたまま、手ぬぐい生地長手方向両端を、両端に近い直線模様を基線にして、表側へ折り畳む。
次にこのように折り畳んだ後手ぬぐい生地上端側に、台形状型紙の上辺が手ぬぐい生地上端辺に沿うように、台形状型紙を配置し、しかる後手ぬぐい生地上端側二角を台形状型紙の斜面に沿って表側へ折り畳む。
次にそうした後、台形状型紙を台形状紙底辺を基線として、手前方向へ折り畳む。
次に台形状型紙を手前方向へ折り畳んだ後、台形状型紙の台形状型紙上辺と同一の長さの正方形状型紙を、台形状型紙の上辺に沿わせ、かつ手ぬぐい生地に対称に描かれている今一つの直線模様に沿うように配置する。
次に、しかる後手ぬぐい生地の長手方向に一度折り畳まれている両端を、正方形状型紙の側壁に沿って、手ぬぐい生地表側長手方向中央部方向へ各々折り畳むことにより、台形状型紙は更に手前へ反転し、正方形状型紙上に、御堂の屋根の部分が形成される。
次に、このように折り畳んだ後、台形状型紙の裏側に当たる手ぬぐい生地を整え、手ぬぐい生地の残った下方側を三つに折り畳む。これによって、手ぬぐいを御堂型に折り畳むことができる。
このように台形状型紙及び正方形状型紙を用いて、手ぬぐいを折り畳み、御堂型を形成することを特徴とする手ぬぐいを御堂型に折り畳む方法を用いることにより、簡単に手ぬぐいを御堂型に折り畳むことができるものであり、この発明はそのような折り畳み方法を提供しようとするものである。
【０００５】
【実施例】
この発明の実施例を図面に基づいて説明する。
【図１】
【図２】
【図３】
【図４】
【図５】
【図６】
【図７】
【図８】
【図９】
【図１０】
【図１１】
【図１２】
【図１３】は全て平面図であり、
【図１】は、この発明の方法に用いる手ぬぐいの全長の平面図であり、
【図２】
【図３】
【図１０】
【図１１】は、手ぬぐいを半分に折り畳んだ状態での平面図であり、
【図１】
【図２】
【図３】
【図１０】
【図１２】以外の図面は、手ぬぐいを折り畳んで行く過程の状況を平面図で表示したものである。但し、図面上不要の模様は省略した。
【０００６】
【実施例】
（Ｉ）は、この発明の手ぬぐいを御堂型に折り畳む方法に係る手ぬぐいを表示するものである。この手ぬぐい（Ｉ）は、長方形状で、一定の長手方向及び幅を有する手ぬぐい生地に、長手方向両端から一定間隔に、長手方向へ左右対称に各々二本の直線模様が描かれ、かつ直線模様間には適便に左右対称に花模様が描かれ、また該手ぬぐい生地幅方向中央部より上側には仏像模様が、下側には円形及び山形などの模様が描かれ、構成されるものである。この実施例では、実測で、一定の長手方向は８４ｃｍで、幅は３４ｃｍの手ぬぐい生地で、構成されるものである。
【０００７】
この手ぬぐい（Ｉ）を構成する手ぬぐい生地の表面には、直線模様の花模様、あるいは仏像模様、円形、山形模様などが描かれている。（２）及び（２’）は、直線模様で、長手方向両端にその端から一定距離に、左右対称平行に設けられているものであり、また（３）及び（３’）も直線模様で、（２）及び（２’）の直線模様より更に手ぬぐい生地中央部側に長手方向端より一定距離でかつ（２）及び（２’）よりも一定距離の所へ左右対称平行に設けられているものである。この（２）及び（２’）と（３）及び（３’）とは重ならないものである。また（２）及び（２’）並びに（３）及び（３’）は、途中線が途切れて描かれる場合もある。実測では（２）及び（２’）の直線模様は手ぬぐい生地長手方向左右各々の端より、４ｃｍの所に、また（３）及び（３’）は同じく左右各々の端より１０．５ｃｍの所に、各々対称平行に設けられているものである。この直線模様は、この手ぬぐいを折り畳むための重要な目安、即ち基準線となるものである。尚、基準線は他の模様を用いてもよい。
【０００８】
また（４）及び（４’）は花模様で、適便の花柄が（２）及び（２’）と（３）及び（３’）との直線模様の間に、各々左右対称に描かれているものであり、この花模様は手ぬぐい生地長手方向上側及び下側の適便の箇所に描かれているものである。必ずしも花模様である必要はなく、他の模様でもよいものである。（５）は仏像模様である。この仏像模様は（５）手ぬぐい生地幅方向中央部より上側に描かれている。これは時に寺院で朱印をする場合に、ここに仏像の押印ができるようにと描かれているものである。また始めから、この部分に仏像を描いてもよいのである。しかし必ずしも仏象模様である必要もなく、他の模様でもよい。（６）は円形模様で、手ぬぐい生地幅方向中央部より下側に描かれている。これ（６）は寺院で、朱印をする場合寺院名などが押されることのある場合に、この円形模様（６）の中に押印することのできるように描かれているものである。しかし必ず円形模様である必要はなく、他の模様、例えば四角形でも三角形でもよいのである。（７）は山形模様である。特に山形でなければならない訳ではなく、適便の図柄でもよいものであり、手ぬぐい生地幅方向下側で、円形模様（６）の更に下側方向に描かれているものである。これも別に山形模様である必要はなく、他の模様でもよいのである。
【０００９】
この手ぬぐい（Ｉ）は、このように構成されているものである。更に（８）及び（９）は型紙である。（８）は台形状の型紙であり、（９）は正方形状の型紙である。この型紙（８）（９）は、手ぬぐい（Ｉ）を折り畳むために使用するものであり、そのまま折り畳み内に装置して使用するものである。この実施例では、実測で、台形状型紙（８）は底辺が２６ｃｍ、上辺が１３ｃｍ、高さが６．５ｃｍに形成されて成り、また正方形状型紙（９）は、一辺が１３ｃｍに形成されているものである。これら型紙（８）（９）は、材質は紙である。しかし、他の材質でもよい。
【００１０】
このように構成されている手ぬぐい（Ｉ）を御堂型に折り畳むには、まず手ぬぐい生地を次の順に折り畳む。
即ち、手ぬぐい生地幅方向中央部において、模様側を表として、手ぬぐい生地の上側端と下側端が上側端で端が重なるように手ぬぐい生地裏側へ真二つに折り
畳む。
【図２】のように形成される。
次に、折り畳んだ後重ねたまま、手ぬぐい生地長手方向両端を各々長手方向端側近くに描かれている直線模様（２）及び（２’）に沿って、長手方向表側へ折
り畳む。
【図３】のように形成される。
次に、このように折り畳んだ後、更に手ぬぐい生地長手方向に描かれているもう一本の直線模様（３）及び（３’）に沿って、長手方向表側へ、手ぬぐい生地長手方向両端を各々折り畳む。
【図４】のように形成される。
次にしかる後、折り畳まれた手ぬぐい生地の幅方向中央部線を基線として、折
り畳まれた手ぬぐいの上方側を
【図５】に見られるように、左右に開いて、手ぬぐい生地の幅方向中央部線上に台形状と横長長方形とが結合した形状部が形成されるように、上側端を手前方向に折り畳む。この場合、手ぬぐい生地は柔らかいので、簡単に形を整え手前方向に折り畳むことができるし、また容易に台形状と
横長長方形とが結合した形状部を形成することができる。その結果
【図６】のように台形状と横長長方形状とが結合した形状部が形成される。
次に、台形状と横長長方形とが結合した形状部に折り畳まれた、該台形状と横長長方形との結合した形状部の下側二角を各々、裏側方向へ折り畳む。これによ
って、上下に対称の台形状部が形成される。
【図７】のように形成される。
次に、上下に対称の台形状部の下側台形状部を、台形状部底辺に沿って、上側台形状部裏側へ折り畳む。こうすることによって、二つの台形状部が重なり、御
堂の屋根の部分が形成される。
【図８】のように、御堂屋根部が形成される。
しかる後に残った下方側を、三つに折り畳む。
【図８】に示すように均等に折り畳む。これによって、手ぬぐいを御堂型に折り畳むことができる。この折り畳
みの完成図は、
【図９】によって示されている。このように折り畳むことにより、手ぬぐい（Ｉ）を御堂型に折り畳むことができるものである。
【００１１】
手ぬぐい（Ｉ）を御堂型に折り畳むには、今一つ方法がある。それは、手ぬぐい生地に型紙（８）（９）を用いて行われる方法で、その方法は次のように実施される。
まず手ぬぐい生地幅方向中央部において、模様側を表として、手ぬぐい生地の上側端と下側端が、上側端で端が重なるように、手ぬぐい生地裏側へ真二つに折
り畳み、
【図２】のように形成される。しかる後重ねたまま、手ぬぐい生地長手方向両端を、各々の端に近い直線模様（２）及び（２’）を基線にして、表側へ
折り畳む。
【図３】の如くに形成される。
次にこのように折り畳んだ後手ぬぐい生地上端側に、台形状型紙（８）の上辺
が、手ぬぐい生地上端辺に沿うように、台形状型紙（８）を配置し、
【図１０】の如くに形成される。しかる後、手ぬぐい生地上端側二角を、台形状型紙（８）
の斜面に沿って表側へ折り畳むと
【図１１】の如くに形成される。
次にそうした後、台形状型紙（８）を台形状型紙（８）底辺を基線として、手前方向へ折り畳むと、正方形状型紙（９）が、まだ配置されていない状態での、
【図１２】の如くに形成される。
次に台形状型紙（８）を手前方向へ折り畳んだ後、台形状型紙（８）の台形状型紙上辺と同一の長さの正方形状型紙（９）を、台形状型紙（８）の上辺に沿わせ、かつ手ぬぐい生地に対称平行に描かれている今一つの直線模様（３）及び（
３’）に沿うように配置する。こうすると
【図１２】の如くに形成される。
次に、しかる後手ぬぐい生地の長手方向に一度折り畳まれている両端を、正方形状型紙（９）の側壁に沿って、手ぬぐい生地表側長手方向中央部方向へ、各々折り畳むことにより、台形状型紙（８）は、更に手前に反転し、正方形状型紙（９）上に、御堂の屋根の部分が形成される。手ぬぐい生地は、柔らかいので簡単
に反転する。これが
【図１３】で示されている如くに形成される。
次に、このように折り畳んだ後、台形状型紙（８）の裏側に当たる手ぬぐい生地を整え、手ぬぐい生地の残った下方側を三つに折り畳む。これによって、手ぬ
ぐいを御堂型に折り畳むことができる。
【図９】で形成されるのと同一の形状を呈することとなるものである。
このように、台形状型紙（８）及び正方形状型紙（９）を用いて手ぬぐいを折り畳み、御堂型を形成することにより、この発明の実施は完了するものである。この発明は、このように実施されるものである。
【００１２】
【発明の効果】
この発明は、手ぬぐいを簡単・容易に御堂型に折り畳むことができ、大人でも小人でも、時間を費することなく、短時間で御堂型に折り畳むことができる。そのため、作業時間を短縮し、より多くの御堂型手ぬぐいを折り畳む事が出来るという経済的効果を有するものである。
【図面の簡単な説明】
【図１】平面図
【図２】平面図
【図３】平面図
【図４】平面図
【図５】平面図
【図６】平面図
【図７】平面図
【図８】平面図
【図９】平面図
【図１０】平面図
【図１１】平面図
【図１２】平面図
【図１３】平面図
【符号の説明】
（Ｉ）              手ぬぐい
（２）及び（２’）  直線模様
（３）及び（３’）  直線模様
（４）及び（４’）  花模様
（５）              仏像模様
（６）              円形模様
（７）              山形模様
（８）              台形状型紙
（９）              正方形状型紙
【図１】
0003548997.tif 000002
【図２】
0003548997.tif 000003
【図３】
0003548997.tif 000004
【図４】
0003548997.tif 000005
【図５】
0003548997.tif 000006
【図６】
0003548997.tif 000007
【図７】
0003548997.tif 000008
【図８】
0003548997.tif 000009
【図９】
0003548997.tif 000010
【図１０】
0003548997.tif 000011
【図１１】
0003548997.tif 000012
【図１２】
0003548997.tif 000013
【図１３】
0003548997.tif 000014